【手続補正書】
【提出日】平成28年4月4日(2016.4.4)
【手続補正１】
【補正対象書類名】明細書
【補正対象項目名】０００６
【補正方法】変更
【補正の内容】
【０００６】
上述した課題を解決するために本発明のデータ処理装置は、
時間に関する情報、及び位置に関する情報のうちの少なくともいずれかと、人物に関する情報と、を対応付けて登録されている人物関連データを取得する人物関連データ取得手段と、
時間に関する情報、位置に関する情報、及び人物に関する情報のうちの少なくともいずれかが対応付けて登録又は更新されたコンテンツデータを取得するコンテンツデータ取得手段と、
前記人物関連データ取得手段によって取得された人物関連データの時間に関する情報、及び位置に関する情報のうちの少なくともいずれか、又は人物に関する情報と、前記コンテンツデータ取得手段によって取得されたコンテンツデータに対応付けられている時間に関する情報、位置に関する情報、及び人物に関する情報のうちの少なくともいずれかと、が一致するか否かを判別する判別手段と、
前記判別手段による判別結果に応じて、前記コンテンツデータ又は人物関連データの公開に関する所定の処理を実行する処理手段と、
を具備したことを特徴とするデータ処理装置である。
【手続補正２】
【補正対象書類名】明細書
【補正対象項目名】０００７
【補正方法】変更
【補正の内容】
【０００７】
上述した課題を解決するために本発明のデータ処理システムは、
複数のデータ処理装置の間でネットワークを介してデータの送受信を行うデータ処理システムであって、
時間に関する情報、位置に関する情報、及び人物に関する情報のうちの少なくともいずれかを対応付けたコンテンツデータを登録又は更新する外部装置と、
時間に関する情報、及び位置に関する情報のうちの少なくともいずれかと、人物に関する情報と、を対応付けて登録されている人物関連データを取得する人物関連データ取得手段と、
前記外部装置から、時間に関する情報、位置に関する情報、及び人物に関する情報のうちの少なくともいずれかが対応付けて登録又は更新されたコンテンツデータを取得するコンテンツデータ取得手段と、
前記人物関連データ取得手段によって取得された人物関連データの時間に関する情報、及び位置に関する情報のうちの少なくともいずれか、又は人物に関する情報と、前記コンテンツデータ取得手段によって取得されたコンテンツデータに対応付けられている時間に関する情報、位置に関する情報、及び人物に関する情報のうちの少なくともいずれかと、が一致するか否かを判別する判別手段と、
前記判別手段による判別結果に応じて、前記コンテンツデータ又は人物関連データの公開に関する所定の処理を実行する処理手段と、
を具備したデータ処理装置と、
からなることを特徴とするデータ処理システムである。
【手続補正３】
【補正対象書類名】明細書
【補正対象項目名】０００８
【補正方法】変更
【補正の内容】
【０００８】
上述した課題を解決するために本発明のデータ処理方法は、
時間に関する情報、及び位置に関する情報のうちの少なくともいずれかと、人物に関する情報と、を対応付けて登録されている人物関連データを取得する処理と、
時間に関する情報、位置に関する情報、及び人物に関する情報のうちの少なくともいずれかが対応付けて登録又は更新されたコンテンツデータを取得する処理と、
前記取得された人物関連データの時間に関する情報、及び位置に関する情報のうちの少なくともいずれか、又は人物に関する情報と、前記取得されたコンテンツデータに対応付けられている時間に関する情報、位置に関する情報、及び人物に関する情報のうちの少なくともいずれかと、が一致するか否かを判別する処理と、
前記判別の結果に応じて、前記コンテンツデータ又は人物関連データの公開に関する所定の処理を実行する処理と、
を含むことを特徴とするデータ処理方法である。
【手続補正４】
【補正対象書類名】明細書
【補正対象項目名】０００９
【補正方法】変更
【補正の内容】
【０００９】
上述した課題を解決するために本発明のプログラムは、
コンピュータに対して、
時間に関する情報、及び位置に関する情報のうちの少なくともいずれかと、人物に関する情報と、を対応付けて登録されている人物関連データを取得する機能と、
時間に関する情報、位置に関する情報、及び人物に関する情報のうちの少なくともいずれかが対応付けて登録又は更新されたコンテンツデータを取得する機能と、
前記取得された人物関連データの時間に関する情報、及び位置に関する情報のうちの少なくともいずれか、又は人物に関する情報と、前記取得されたコンテンツデータに対応付けられている時間に関する情報、位置に関する情報、及び人物に関する情報のうちの少なくともいずれかと、が一致するか否かを判別する機能と、
前記判別の結果に応じて、前記コンテンツデータ又は人物関連データの公開に関する所定の処理を実行する機能と、
を実現させるためのプログラムである。
【手続補正５】
【補正対象書類名】特許請求の範囲
【補正対象項目名】全文
【補正方法】変更
【補正の内容】
【特許請求の範囲】
【請求項１】
時間に関する情報、及び位置に関する情報のうちの少なくともいずれかと、人物に関する情報と、を対応付けて登録されている人物関連データを取得する人物関連データ取得手段と、
時間に関する情報、位置に関する情報、及び人物に関する情報のうちの少なくともいずれかが対応付けて登録又は更新されたコンテンツデータを取得するコンテンツデータ取得手段と、
前記人物関連データ取得手段によって取得された人物関連データの時間に関する情報、及び位置に関する情報のうちの少なくともいずれか、又は人物に関する情報と、前記コンテンツデータ取得手段によって取得されたコンテンツデータに対応付けられている時間に関する情報、位置に関する情報、及び人物に関する情報のうちの少なくともいずれかと、が一致するか否かを判別する判別手段と、
前記判別手段による判別結果に応じて、前記コンテンツデータ又は人物関連データの公開に関する所定の処理を実行する処理手段と、
を具備したことを特徴とするデータ処理装置。
【請求項２】
前記処理手段は、公開に関する所定の処理として、前記人物関連データに対応付けられた人物宛てに前記コンテンツデータが登録又は更新されたことを通知する処理を実行する、
ようにしたことを特徴とする請求項１記載のデータ処理装置。
【請求項３】
前記処理手段は、公開に関する所定の処理として、前記人物関連データに対応付けられた人物による前記コンテンツデータへのアクセスを許可する処理を実行する、
ようにしたことを特徴とする請求項１又は請求項２に記載のデータ処理装置。
【請求項４】
前記判別手段により、前記コンテンツデータに対応付けられている時間に関する情報、及び位置に関する情報のうちの少なくともいずれかと、前記人物関連データに含まれる時間に関する情報及び位置に関する情報のうちの少なくともいずれかと、が一致し、かつ該コンテンツデータに対応付けられている人物に関する情報と、該人物関連データに含まれる人物に関する情報と、が一致しないと判別された場合に、前記処理手段は、公開に関する所定の処理として、該コンテンツデータに対応付けられている人物に関する情報を該人物関連データに対応付けて追加する処理を実行する、
ようにしたことを特徴とする請求項１〜請求項３のいずれか１項に記載のデータ処理装置。
【請求項５】
前記処理手段は、公開に関する所定の処理として、前記コンテンツデータに対して人物認識処理を実行することにより、人物に関する情報として、そのコンテンツデータに含まれている人物を認識する、
ようにしたことを特徴とする請求項４に記載のデータ処理装置。
【請求項６】
前記処理手段は、前記人物関連データに対応付けて人物に関する情報を追加した場合に、その追加人物による前記人物関連データへのアクセスを許可する処理を実行する、
ようにしたことを特徴とする請求項４又は請求項５に記載のデータ処理装置。
【請求項７】
前記判別手段は、前記コンテンツデータに対応付けられている時間に関する情報、及び位置に関する情報のうち少なくともいずれかと、前記人物関連データに付加されている時間に関する情報、及び位置に関する情報のうち少なくともいずれかと、が一致する場合に、その人物関連データとコンテンツデータとは関連性が有ると判別する、
ようにしたことを特徴とする請求項１〜請求項６のいずれか１項に記載のデータ処理装置。
【請求項８】
前記判別手段は、前記コンテンツデータ、及び前記人物関連データの両方に含まれる時間に関する情報、位置に関する情報、及び人物に関する情報のうち、２以上の任意の組み合わせが一致するか否かを判別する、
ようにしたことを特徴とする請求項１〜請求項６のいずれか１項に記載のデータ処理装置。
【請求項９】
前記人物関連データは、ネットワークを利用して関係する人物への公開を目的として、時間に関する情報、及び位置に関する情報のうちの少なくともいずれかと、その人物に関する情報と、を対応付けたデータである、
ようにしたことを特徴とする請求項１〜請求項８のいずれか１項に記載のデータ処理装置。
【請求項１０】
前記人物関連データは、所定のイベントに対応付けて、前記時間に関する情報、及び位置に関する情報のうちの少なくともいずれかと、人物に関する情報と、が対応付けて登録され、
前記処理手段は、前記所定のイベントに関するコンテンツデータが登録又は更新された場合に、前記コンテンツデータ又は前記人物関連データの公開に関する所定の処理を実行する、
ようにしたことを特徴とする請求項１〜請求項８のいずれか１項に記載のデータ処理装置。
【請求項１１】
複数のデータ処理装置の間でネットワークを介してデータの送受信を行うデータ処理システムであって、
時間に関する情報、位置に関する情報、及び人物に関する情報のうちの少なくともいずれかを対応付けたコンテンツデータを登録又は更新する外部装置と、
時間に関する情報、及び位置に関する情報のうちの少なくともいずれかと、人物に関する情報と、を対応付けて登録されている人物関連データを取得する人物関連データ取得手段と、
前記外部装置から、時間に関する情報、位置に関する情報、及び人物に関する情報のうちの少なくともいずれかが対応付けて登録又は更新されたコンテンツデータを取得するコンテンツデータ取得手段と、
前記人物関連データ取得手段によって取得された人物関連データの時間に関する情報、及び位置に関する情報のうちの少なくともいずれか、又は人物に関する情報と、前記コンテンツデータ取得手段によって取得されたコンテンツデータに対応付けられている時間に関する情報、位置に関する情報、及び人物に関する情報のうちの少なくともいずれかと、が一致するか否かを判別する判別手段と、
前記判別手段による判別結果に応じて、前記コンテンツデータ又は人物関連データの公開に関する所定の処理を実行する処理手段と、
を具備したデータ処理装置と、
からなることを特徴とするデータ処理システム。
【請求項１２】
時間に関する情報、及び位置に関する情報のうちの少なくともいずれかと、人物に関する情報と、を対応付けて登録されている人物関連データを取得する処理と、
時間に関する情報、位置に関する情報、及び人物に関する情報のうちの少なくともいずれかが対応付けて登録又は更新されたコンテンツデータを取得する処理と、
前記取得された人物関連データの時間に関する情報、及び位置に関する情報のうちの少なくともいずれか、又は人物に関する情報と、前記取得されたコンテンツデータに対応付けられている時間に関する情報、位置に関する情報、及び人物に関する情報のうちの少なくともいずれかと、が一致するか否かを判別する処理と、
前記判別の結果に応じて、前記コンテンツデータ又は人物関連データの公開に関する所定の処理を実行する処理と、
を含むことを特徴とするデータ処理方法。
【請求項１３】
コンピュータに対して、
時間に関する情報、及び位置に関する情報のうちの少なくともいずれかと、人物に関する情報と、を対応付けて登録されている人物関連データを取得する機能と、
時間に関する情報、位置に関する情報、及び人物に関する情報のうちの少なくともいずれかが対応付けて登録又は更新されたコンテンツデータを取得する機能と、
前記取得された人物関連データの時間に関する情報、及び位置に関する情報のうちの少なくともいずれか、又は人物に関する情報と、前記取得されたコンテンツデータに対応付けられている時間に関する情報、位置に関する情報、及び人物に関する情報のうちの少なくともいずれかと、が一致するか否かを判別する機能と、
前記判別の結果に応じて、前記コンテンツデータ又は人物関連データの公開に関する所定の処理を実行する機能と、
を実現させるためのプログラム。